(57)【特許請求の範囲】
【請求項１】
他の携帯機器と無線通信を行って画像データを含むコンテンツデータを送信する通信機器であって、
前記携帯機器と無線通信を確定するための当該通信機器の識別情報、該識別情報に対応するパスワードおよび前記携帯機器の特定の動作に応じて前記コンテンツデータの送信を許可するための動作情報を含む設定情報を設定する設定部と、
前記設定情報に対応する設定画像を表示する表示部と、
前記コンテンツデータを前記携帯機器に送信可能であるとともに、前記携帯機器において行われた特定の動作に応じて変換された前記動作情報を前記携帯機器から受信する送受信部と、
前記送受信部が受信した前記動作情報と前記設定部が設定した前記動作情報とが一致する場合、前記コンテンツデータの前記携帯機器への送信を前記送受信部に実行させる送信制御部と、
を備え、
前記動作情報は、前記携帯機器による連続的な撮像に応じて変化する前記設定画像に応じて変換されたものであることを特徴とする通信機器。
【請求項２】
前記動作情報は、前記携帯機器による連続的な撮像に応じて変化する前記画像の大きさに応じて変換されたものであることを特徴とする請求項１に記載の通信機器。
【請求項３】
前記動作情報は、前記携帯機器による連続的な撮像に応じて変化する前記画像の位置に応じて変換されたものであることを特徴とする請求項１に記載の通信機器。
【請求項４】
音声を検出する音声検出部と、
前記音声検出部が検出した音声が前記携帯機器から出力された音声であるか否かを判定する音声判定部と、
前記音声判定部が前記携帯機器から出力された音声であると判定した場合、前記画像を前記表示部に表示させる表示制御部と、
をさらに備えたことを特徴とする請求項１〜３のいずれか一つに記載の通信機器。
【請求項５】
前記表示部が表示する前記設定情報に対応する設定画像を撮像可能な撮像部と、
前記撮像部が撮像した前記設定画像に含まれる前記設定情報を抽出する設定情報抽出部と、
当該通信機器における特定の動作を前記動作情報に変換する動作情報変換部と、
をさらに備え、
前記携帯機器は、前記設定画像を表示可能であり、
前記送受信部は、前記動作情報変換部が変換した前記動作情報を前記携帯機器に送信することを特徴とする請求項１〜４のいずれか一つに記載の通信機器。
【請求項６】
他の携帯機器と無線通信を行って画像データを含むコンテンツデータを送信する通信機器が実行する通信方法であって、
前記携帯機器と無線通信を確定するための当該通信機器の識別情報、該識別情報に対応するパスワードおよび前記携帯機器の特定の動作に応じて前記コンテンツデータの送信を許可するための動作情報を含む設定情報を設定する設定ステップと、
前記設定情報に対応する設定画像を表示する表示ステップと、
前記携帯機器において行われた特定の動作に応じて変換された前記動作情報を前記携帯機器から受信する受信ステップと、
前記受信ステップで受信した前記動作情報と前記設定ステップで設定した前記動作情報とが一致する場合、前記コンテンツデータを前記携帯機器へ送信する送信ステップと、
を含み、
前記動作情報は、前記携帯機器による連続的な撮像に応じて変化する前記設定画像に応じて変換されたものであることを特徴とする通信方法。
【請求項７】
他の携帯機器と無線通信を行って画像データを含むコンテンツデータを送信する通信機器に実行させるプログラムであって、
前記携帯機器と無線通信を確定するための当該通信機器の識別情報、該識別情報に対応するパスワードおよび前記携帯機器の特定の動作に応じて前記コンテンツデータの送信を許可するための動作情報を含む設定情報を設定する設定ステップと、
前記設定情報に対応する設定画像を表示する表示ステップと、
前記携帯機器において行われた特定の動作に応じて変換された前記動作情報を前記携帯機器から受信する受信ステップと、
前記受信ステップで受信した前記動作情報と前記設定ステップで設定した前記動作情報とが一致する場合、前記コンテンツデータを前記携帯機器へ送信する送信ステップと、
を含み、
前記動作情報は、前記携帯機器による連続的な撮像に応じて変化する前記設定画像に応じて変換されたものであることを特徴とするプログラム。
【発明の詳細な説明】
【技術分野】
【０００１】
本発明は、画像データを含むコンテンツデータを所定の無線通信規格に従って他の電子機器に送信する通信機器、該通信機器による通信方法およびプログラムに関する。
【背景技術】
【０００２】
従来から、カメラ付きの携帯電話等で撮像した画像データを含むコンテンツデータを、所定の無線通信規格に従って他の機器やパソコン等の外部機器に送信する技術が知られている（たとえば、特許文献１を参照）。この技術では、無線通信するために必要なデバイスアドレス情報を送信対象の機器のディスプレイ上にバーコードで表示させ、このバーコードを送信側の携帯電話のカメラによって撮像することにより、特別な設定作業を行うことなく、無線通信のための設定を自動的に行う。
【先行技術文献】
【特許文献】
【０００３】
【特許文献１】特許第４１７４２０８号公報
【発明の概要】
【発明が解決しようとする課題】
【０００４】
しかしながら、上述した従来技術では、機器がバーコードを表示している際に、このバーコードが他の外部機器によって撮像されたとき、この外部機器との間で無線通信が確立することで、コンテンツデータが送信されてしまう場合があった、このため、無線通信でコンテンツデータを送信する場合、簡易な操作で無線通信を設定することができるとともに、セキュリティーに優れた無線通信を行うことができる技術が求められていた。
【０００５】
本発明は、上記に鑑みてなされたものであって、簡易な操作で他の外部機器と双方向に無線通信を設定することができるとともに、セキュリティーに優れた無線通信を行うことができる通信機器、通信方法およびプログラムを提供することを目的とする。
【課題を解決するための手段】
【０００６】
上述した課題を解決し、目的を達成するために、本発明にかかる通信機器は、他の携帯機器と無線通信を行って画像データを含むコンテンツデータを送信する通信機器であって、前記携帯機器と無線通信を確定するための当該通信機器の識別情報、該識別情報に対応するパスワードおよび前記携帯機器の特定の動作に応じて前記コンテンツデータの送信を許可するための動作情報を含む設定情報を設定する設定部と、前記コンテンツデータを前記携帯機器に送信可能であるとともに、前記携帯機器において行われた特定の動作に応じて変換された前記動作情報を前記携帯機器から受信する送受信部と、前記送受信部が受信した前記動作情報と前記設定部が設定した前記動作情報とが一致する場合、前記コンテンツデータの前記携帯機器への送信を前記送受信部に実行させる送信制御部と、を備えたことを特徴とする。
【０００７】
また、本発明にかかる通信機器は、上記発明において、前記設定情報に対応する設定画像を表示する表示部をさらに備え、前記動作情報は、前記携帯機器による連続的な撮像に応じて変化する前記設定画像に応じて変換されたものであることを特徴とする。
【０００８】
また、本発明にかかる通信機器は、上記発明において、前記動作情報は、前記携帯機器による連続的な撮像に応じて変化する前記設定画像の大きさに応じて変換されたものであることを特徴とする。
【０００９】
また、本発明にかかる通信機器は、上記発明において、前記動作情報は、前記携帯機器による連続的な撮像に応じて変化する前記設定画像の位置に応じて変換されたものであることを特徴とする。
【００１０】
また、本発明にかかる通信機器は、上記発明において、音声を検出する音声検出部と、前記音声検出部が検出した音声が前記携帯機器から出力された音声であるか否かを判定する音声判定部と、前記音声判定部が前記携帯機器から出力された音声であると判定した場合、前記設定画像を前記表示部に表示させる表示制御部と、をさらに備えたことを特徴とする。
【００１１】
また、本発明にかかる通信機器は、上記発明において、所定の視野領域を撮像して画像データを生成する撮像部と、前記撮像部が生成した前記設定画像に含まれる前記設定情報を抽出する設定情報抽出部と、当該通信機器における特定の動作を前記動作情報に変換する動作情報変換部と、をさらに備え、前記携帯機器は、前記設定画像を表示可能であり、前記送受信部は、前記動作情報変換部が変換した前記動作情報を前記携帯機器に送信することを特徴とする。
【００１２】
また、本発明にかかる通信機器は、上記発明において、前記動作情報は、前記携帯機器から出力された音声または前記携帯機器から出射された光であることを特徴とする。
【００１３】
また、本発明にかかる通信方法は、他の携帯機器と無線通信を行って画像データを含むコンテンツデータを送信する通信機器が実行する通信方法であって、前記携帯機器と無線通信を確定するための当該通信機器の識別情報、該識別情報に対応するパスワードおよび前記携帯機器の特定の動作に応じて前記コンテンツデータの送信を許可するための動作情報を含む設定情報を設定する設定ステップと、前記携帯機器において行われた特定の動作に応じて変換された前記動作情報を前記携帯機器から受信する受信ステップと、前記受信ステップで受信した前記動作情報と前記設定ステップで設定した前記動作情報とが一致する場合、前記コンテンツデータの前記携帯機器への送信を前記送受信部に実行させる送信ステップと、を含むことを特徴とする。
【００１４】
また、本発明にかかるプログラムは、他の携帯機器と無線通信を行って画像データを含むコンテンツデータを送信する通信機器に実行させるプログラムであって、前記携帯機器と無線通信を確定するための当該通信機器の識別情報、該識別情報に対応するパスワードおよび前記携帯機器の特定の動作に応じて前記コンテンツデータの送信を許可するための動作情報を含む設定情報を設定する設定ステップと、前記携帯機器において行われた特定の動作に応じて変換された前記動作情報を前記携帯機器から受信する受信ステップと、前記受信ステップで受信した前記動作情報と前記設定ステップで設定した前記動作情報とが一致する場合、前記コンテンツデータの前記携帯機器への送信を前記送受信部に実行させる送信ステップと、を含むことを特徴とする。
【発明の効果】
【００１５】
本発明によれば、送信制御部が送受信部によって受信された動作情報が設定部によって設定された設定情報の動作情報と一致する場合、コンテンツデータの携帯機器への送受信部に実行させる。これにより、セキュリティーに優れるとともに、簡易な操作で他の外部機器と双方向に無線通信を行うことができるという効果を奏する。
【図面の簡単な説明】
【００１６】
【図１】図１は、本発明の実施の形態１にかかる通信機器および携帯機器の構成を示すブロック図である。
【図２】図２は、本発明の実施の形態１にかかる通信機器および携帯機器が実行する通信処理の概要を説明する図である。
【図３】図３は、図２の状況を模式的に説明する図である。
【図４】図４は、本発明の実施の形態１にかかる通信機器と携帯機器とが無線通信の確定を行う際の状況を説明する図である。
【図５】図５は、本発明の実施の形態１にかかる通信機器と携帯機器との間で無線通信が確定した後に通信機器がコンテンツデータを送信する際の状況を説明する図である。
【図６】図６は、本発明の実施の形態１にかかる通信機器が実行する処理の概要を示すフローチャートである。
【図７】図７は、本発明の実施の形態２にかかる通信機器および携帯機器が実行する通信処理の概要を説明する図である。
【図８】図８は、図７の状況を模式的に説明する図である。
【図９】図９は、本発明の実施の形態２にかかる通信機器および携帯機器が無線通信の確定を行う際の状況を模式的に説明する図である。
【図１０】図１０は、本発明の実施の形態２にかかる通信機器と携帯機器との間で無線通信が確定した後に通信機器が携帯機器にコンテンツデータを送信する際の状況を説明する図である。
【図１１】図１１は、本発明の実施の形態２にかかる通信機器が実行する処理の概要を示すフローチャートである。
【図１２】図１２は、本発明の実施の形態３にかかる通信機器および携帯機器の構成を示すブロック図である。
【図１３】図１３は、本発明の実施の形態３にかかる通信機器および携帯機器が実行する通信処理の概要を説明する図である。
【図１４】図１４は、図１３の状況を模式的に説明する図である。
【図１５】図１５は、本発明の実施の形態３にかかる通信機器が実行する処理の概要を示すフローチャートである。
【発明を実施するための形態】
【００１７】
以下に、図面を参照して、本発明を実施するための形態（以下、「実施の形態」という）について説明する。なお、この実施の形態によって本発明が限定されるものではない。また、図面の記載において、同一の部分には同一の符号を付して説明する。
【００１８】
（実施の形態１）
図１は、本発明の実施の形態１にかかる通信機器および携帯機器の構成を示すブロック図である。図１に示す通信機器１および携帯機器２は、所定の無線通信規格に従って画像データおよび音声データ等を含むコンテンツデータを双方向に通信可能である。ここで、所定の無線通信規格は、ＩＥＥＥ８０２．１１ｂ、ＩＥＥＥ８０２．１１ｎ、Ｂｌｕｅｔｏｏｔｈ（登録商標）および赤外線通信規格等である。なお、本実施の形態１では、いずれの無線通信規格であっても適用可能である。
【００１９】
まず、通信機器１について説明する。通信機器１は、所定の視野領域を撮像して画像データを生成するデジタルカメラ等の撮像装置を用いて構成される。通信機器１は、撮像部１１と、入力部１２と、表示部１３と、タッチパネル１４と、記録部１５と、送受信部１６と、音声入出力部１７と、通信機器制御部１８と、を備える。
【００２０】
撮像部１１は、一または複数のレンズによって構成され、所定の視野領域からの光を集光する光学系と、光学系が集光した光の入射量を調整する絞りと、レリーズ信号の入力に応じて動作するシャッタと、絞りおよびシャッタを透過した光を受光して電気信号に変換するＣＣＤ（Charge  Coupled  Device）またはＣＭＯＳ（Complementary  Metal  Oxide  Semiconductor）の撮像素子と、撮像素子から出力されるアナログ信号に対してノイズ低減処理やゲインアップ処理等のアナログ処理を施してＡ／Ｄ変換を行って通信機器制御部１８に出力する信号処理部と、を有する。
【００２１】
入力部１２は、通信機器１の電源オンや電源オフの指示信号の入力を受け付ける電源スイッチと、通信機器１に撮影を指示するレリーズ信号の入力を受け付けるレリーズスイッチと、通信機器の各種モードの切り替えを指示する切替信号の入力を受け付ける切替スイッチと、通信機器１の各種パラメータの設定を切り替える操作信号の入力を受け付ける操作スイッチと、を有する。
【００２２】
表示部１３は、液晶または有機ＥＬ（Electro  Luminescence）等からなる表示パネルを用いて構成される。表示部１３は、記録部１５に記録された画像データに対応する画像を表示する。ここで、画像の表示には、撮影直後の画像データを所定時間（たとえば３秒間）だけ表示するレックビュー表示、記録部１５に記録された画像データを再生する再生表示、および撮像部１１が連続的に生成する画像データに対応するライブビュー画像を時系列に沿って順次表示するライブビュー画像表示等が含まれる。また、表示部１３は、通信機器１の操作情報および撮影に関する情報、たとえば露出値や絞り値等を適宜表示する。
【００２３】
タッチパネル１４は、表示部１３の表示画面上に設けられる。タッチパネル１４は、外部からの物体のタッチを検出し、この検出したタッチ位置に応じた位置信号を通信機器制御部１８に出力する。また、タッチパネル１４は、ユーザが表示部１３で表示される情報に基づいてタッチした位置を検出し、この検出したタッチ位置に応じて通信機器１が行う動作を指示する指示信号の入力を受け付けてもよい。一般に、タッチパネル１４としては、抵抗膜方式、静電容量方式および光学方式等がある。本実施の形態１では、いずれの方式のタッチパネルであっても適用可能である。
【００２４】
記録部１５は、ＦｌａｓｈメモリやＤＲＡＭ（Dynamic  Random  Access  Memory）等の半導体メモリを用いて構成される。記録部１５は、通信機器１を動作させるための各種プログラムおよびプログラムの実行中に使用される各種データやパラメータ等を記録する。記録部１５は、携帯機器２に無線通信するために必要な通信機器１の識別情報および識別情報に対応するパスワードおよび携帯機器２の特定の動作に応じてコンテンツデータの送信を許可するための動作情報を含む設定情報を記録する設定情報記録部１５１と、撮像部１１が生成した画像データや音声データを含むコンテンツデータを記録するコンテンツ情報記録部１５２と、を有する。なお、記録部１５に対し、通信機器１の外部から装着されるメモリカード等の記録媒体に対して情報を記録する一方、記録媒体が記録する情報を読み出す記録媒体インターフェースとしての機能を具備させてもよい。
【００２５】
送受信部１６は、所定の無線通信規格に従って、携帯機器２と無線通信を行ってコンテンツデータを携帯機器２に送信可能であるとともに、携帯機器２において行われた特定の動作に応じて変換された設定情報を携帯機器２から受信する。送受信部１６は、コンテンツデータや各種情報を双方向に通信を行うための通信デバイスを用いて構成される。通信デバイスは、他の機器との間で電波信号を送受信するアンテナと、アンテナが受信した信号を復調処理するとともに、送信する信号を変調処理する送受信回路等で構成される。送受信部１６は、通信機器１の起動時において、その存在を報知する識別情報を含む通信信号を定期的に送信するとともに、携帯機器２または他の機器から送信された通信信号を受信して停止状態または待機状態から復帰し、携帯機器２または他の機器との間で通信を確立する。
【００２６】
音声入出力部１７は、マイクおよびスピーカ等を用いて構成される。音声入出力部１７は、音声データの取得を行って通信機器制御部１８に出力する。音声入出力部１７は、記録部１５に記録されたコンテンツデータの音声データを再生して出力する。
【００２７】
通信機器制御部１８は、ＣＰＵ（Central  Processing  Unit）等を用いて構成される。通信機器制御部１８は、入力部１２やタッチパネル１４からの指示信号、切替信号等に応じて通信機器１を構成する各部に対応する指示やデータの転送等を行って通信機器１の動作を統括的に制御する。
【００２８】
通信機器制御部１８の詳細な構成について説明する。通信機器制御部１８は、画像処理部１８１と、設定情報抽出部１８２と、動作情報変換部１８３と、設定部１８４と、送信制御部１８５と、表示制御部１８６と、を有する。
【００２９】
画像処理部１８１は、画像エンジン（画像コントローラ）を用いて構成され、撮像部１１から入力される画像データに対して各種の画像処理を施して記録部１５または表示部１３に出力する。画像処理部１８１は、画像データに対して、少なくとも画像の明るさを調整するゲイン処理、階調を補正する階調補正処理、エッジ処理、ホワイトバランス処理、色補正処理およびγ補正処理を含む画像処理を行う。画像処理部１８１は、ＪＰＥＧ（Joint  Photographic  Experts  Group）方式に従って画像データを圧縮し、圧縮した画像データを記録部１５に記録させてもよい。
【００３０】
設定情報抽出部１８２は、後述する携帯機器２が表示する所定の画像から携帯機器２と無線通信を確定するための設定情報を抽出する。具体的には、設定情報抽出部１８２は、携帯機器２が表示するＱＲコード（登録商標）画像やバーコード画像を含む二次元バーコード画像から携帯機器２と無線通信を行うための設定情報、たとえば携帯機器２の識別情報（機器アドレス）および識別情報に対応するパスワードを抽出する。
【００３１】
動作情報変換部１８３は、通信機器１が行った特定の動作を携帯機器２からコンテンツデータを受信するための動作情報に変換する。
【００３２】
設定部１８４は、入力部１２から入力される指示信号に応じて携帯機器２の特定の動作に応じてコンテンツデータの送信を許可するための動作情報、携帯機器２に無線通信するために必要な通信機器１の識別情報および識別情報に対応するパスワードを設定する。具体的には、設定部１８４は、入力部１２から入力される指示信号、たとえば予め指定された携帯機器２に指定する複数の特定の動作の中から選択された指示信号に応じて携帯機器２が行う動作情報を設定する。また、設定部１８４は、ユーザが入力部１２の操作スイッチ等を操作することによって、入力部１２から入力される指示信号に応じて携帯機器２に無線通信するために必要な通信機器１の識別情報に対応するパスワードを設定する。さらに、設定部１８４は、設定した動作情報を設定情報記録部１５１に記録する。
【００３３】
送信制御部１８５は、送受信部１６が受信した携帯機器２からの動作情報と設定情報記録部１５１が記録する設定情報の動作情報とが一致する場合、コンテンツデータの携帯機器への送信を送受信部１６に実行させる。
【００３４】
表示制御部１８６は、画像データに対応する画像を表示部１３に表示させる。表示制御部１８６は、設定情報記録部１５１に記録された設定情報に対応する設定画像を表示部１３に表示させる。具体的には、表示制御部１８６は、設定情報に対応する設定画像、たとえばＱＲコード画像やバーコード画像を含む二次元バーコード画像を表示部１３に表示させる。
【００３５】
このように構成された通信機器１に対して、インターネットを介してパーソナルコンピュータ（図示せず）と双方向に通信可能な通信機能を具備させてもよい。
【００３６】
つぎに、携帯機器２について説明する。携帯機器２は、ネットワークや外部の通信局と双方向に無線通信を行う多機能型の携帯電話等を用いて構成される。携帯機器２は、撮像部２１と、送受信部２２と、音声入出力部２３と、地磁気検出部２４と、入力部２５と、表示部２６と、タッチパネル２７と、記録部２８と、通信部２９と、携帯制御部３０と、を備える。撮像部２１、送受信部２２、音声入出力部２３、入力部２５、表示部２６およびタッチパネル２７は、通信機器１の撮像部１１、送受信部１６、音声入出力部１７、入力部１２、表示部１３およびタッチパネル１４それぞれと同様の構成を有するため、説明を省略する。
【００３７】
地磁気検出部２４は、磁気方位センサを用いて構成され、携帯機器２に予め設定された指定方位を検出する。具体的には、地磁気検出部２４は、表示部２６を水平状態にした際の地磁気の垂直方向と水平方向の成分を検出することにより、表示部２６の表示画面の中心から上方に向う方向を基準方位としたときの携帯機器２の方位を検出する。
【００３８】
記録部２８は、ＦｌａｓｈメモリやＤＲＡＭ等の半導体メモリを用いて構成される。記録部２８は、通信機器１を動作させるための各種プログラムおよびプログラムの実行中に使用される各種データやパラメータ等を記録する。記録部２８は、通信機器１に無線通信するために必要な通信機器１の識別情報および識別情報に対応するパスワードを含む設定情報を記録する設定情報記録部２８１を有する。
【００３９】
通信部２９は、ネットワークを介して外部の機器、たとえば他の携帯機器またはパーソナルコンピュータ等と双方向に通信を行うための通信インターフェースである。
【００４０】
携帯制御部３０は、ＣＰＵ等を用いて構成される。携帯制御部３０は、入力部２５やタッチパネル２７からの指示信号や切替信号等に応じて携帯機器２を構成する各部に対応する指示やデータの転送等を行って携帯機器２の動作を統括的に制御する。
【００４１】
携帯制御部３０の詳細な構成について説明する。携帯制御部３０は、画像処理部３０１と、設定情報抽出部３０２と、動作情報変換部３０３と、設定部３０４と、送信制御部３０５と、表示制御部３０６と、を有する。
【００４２】
画像処理部３０１は、画像エンジンを用いて構成され、撮像部２１から入力される画像データに対して各種の画像処理を施して記録部２８または表示部２６に出力する。画像処理部３０１は、画像データに対して、少なくとも画像の明るさを調整するゲイン処理、階調を補正する階調補正処理、エッジ処理、ホワイトバランス処理、色補正処理およびγ補正処理を含む画像処理を行う。画像処理部３０１は、ＪＰＥＧ方式に従って画像データを圧縮し、圧縮した画像データを記録部２８に記録させてもよい。
【００４３】
設定情報抽出部３０２は、通信機器１が表示する所定の画像から通信機器１と無線通信を確定するための設定情報を抽出する。
【００４４】
動作情報変換部３０３は、携帯機器２における特定の動作を通信機器１と無線通信を確定するための動作情報に変換する。具体的には、動作情報変換部３０３は、携帯機器２が通信機器１によって指定された特定の動作を行った場合、携帯機器２が行った動作を解析して通信機器１にコンテンツデータを送信させるための動作情報に変換する。
【００４５】
設定部３０４は、入力部２５から入力される指示信号に応じて通信機器１の特定の動作に応じてコンテンツデータの送信を許可するための動作情報、通信機器１に無線通信するために必要な携帯機器２の識別情報および識別情報に対応するパスワードを設定する。また、設定部３０４は、ユーザが入力部２５の操作スイッチ等を操作することによって、入力部２５から入力される指示信号に応じて通信機器１に無線通信するために必要な携帯機器２の識別情報に対応するパスワードを設定する。
【００４６】
送信制御部３０５は、送受信部２２によって受信された通信機器１からの動作情報が設定情報記録部２８１によって記録されている動作情報と一致する場合、通信機器１に対してコンテンツデータを送受信部２２に送信させる。
【００４７】
表示制御部３０６は、画像データに対応する画像を表示部２６に表示させる。表示制御部１８６は、設定情報記録部２８１に記録された設定情報に対応する設定画像を表示部２６に表示させる。具体的には、表示制御部１８６は、設定情報に対応する設定画像等を表示部２６に表示させる。
【００４８】
このように構成された携帯機器２に対して、所定の視野領域に向けて補助光を照射するフラッシュ機構を設けてもよい。
【００４９】
図２は、上述した通信機器１および携帯機器２が実行する通信処理の概要を説明する図である。図３は、図２の状況を模式的に説明する図である。なお、図２および図３では、通信機器１が記録部１５に記録された画像データを再生して表示する再生モードに設定され、携帯機器２が撮像部２１によって画像データを生成する撮影モードに設定されている。
【００５０】
図２に示すように、通信機器１は、所定の無線通信規格に従って、携帯機器２と無線通信を行ってコンテンツデータを送信する場合において、携帯機器２が設定部１８４によって設定した特定の動作を行ったとき、携帯機器２との間で無線通信を確定してコンテンツデータを送信する。具体的には、図２および図３に示すように、通信機器１は、携帯機器２が通信機器１の表示部１３で表示されたＱＲコード画像Ｑ１を撮影しながら徐々に近づいてきた場合、携帯機器２との間で無線通信を確定してコンテンツデータを送信する。たとえば、ユーザＯ１がユーザＯ２に対して、携帯機器２を近づけてと伝えた場合において、ユーザＯ２が携帯機器２で撮影しながら通信機器１に携帯機器２を徐々に近づけたとき、通信機器１は、携帯機器２との間で無線通信を確定してコンテンツデータを送信する。この際、設定部１８４は、ユーザＯ１が入力部１２を操作することによって選択されたと動作を携帯機器２との間で無線通信を確定してコンテンツデータを送信するための動作情報（パスワード）を設定する。
【００５１】
図４は、通信機器１と携帯機器２とが無線通信の確定を行う際の状況を説明する図である。図５は、通信機器１と携帯機器２との間で無線通信が確定した後に通信機器１がコンテンツデータを送信する際の状況を説明する図である。
【００５２】
図４に示すように、まず、通信機器１は、表示部１３に所定の無線通信規格に従って携帯機器２と無線通信を行うための設定情報に対応するＱＲコード画像Ｑ１を表示する。この際、携帯機器２は、撮像部２１が通信機器１の表示部１３が表示するＱＲコード画像Ｑ１を撮像する（図４（ａ））。続いて、携帯機器２の設定情報抽出部３０２が撮像部２１によって撮像されたＱＲコード画像Ｑ１に含まれる通信機器１の識別情報および識別情報に対応したパスワードを含む設定情報Ｗ１を抽出し、表示制御部３０６が設定情報Ｗ１を表示部２６に表示させる（図４（ｂ））。続いて、携帯機器２は、通信機器１にパスワードを送信する。これにより、通信機器１と携帯機器２との間で無線通信が確立する。
【００５３】
その後、図５に示すように、設定部１８４が設定した特定の動作として携帯機器２を通信機器１に近づける動作の場合において、携帯機器２が通信機器１に近づきながら、撮像部２１によって撮像されたＱＲコード画像Ｑ１の表示部２６における表示領域が徐々に大きくなったとき（図５（ａ）→図５（ｂ））、携帯機器２が設定部１８４によって設定された特定の動作に一致する。この際、携帯機器２の動作情報変換部３０３は、撮像部２１が撮影した画像データに基づいて、通信機器１に近づく動作をコンテンツデータの送信を許可するためのパスワードとしての動作情報に変換し、この変換した動作情報を通信機器１に送信する（図５（ｂ））。その後、通信機器１は、携帯機器２から送信された動作情報が設定情報に含まれる動作情報と一致する場合、コンテンツデータを携帯機器２に送信する（図５（ｃ））。これに対して、通信機器１は、携帯機器２から送信された動作情報が設定情報に含まれる動作情報と一致しない場合、コンテンツデータを携帯機器２に送信しない。なお、動作情報変換部３０３は、携帯機器２が行った動作を通信機器１と無線通信を確定するためのパスワードに変換してもよい。
【００５４】
このように、ユーザは、指定した特定の動作を携帯機器２で行うだけで、コンテンツデータを受信することができる。さらに、通信機器１は、通信の確立とコンテンツデータの送付とのパスワードとなる動作情報とが異なるので、第三者によってＱＲコード画像Ｑ１が撮影された場合であっても、通信機器１が特定の動作を行わない限り、コンテンツデータを送信することがないので、セキュリティーに優れる。
【００５５】
つぎに、通信機器１が実行する処理の概要について説明する、図６は、通信機器１が実行する処理の概要を示すフローチャートである。なお、図６に示すフローチャートは、携帯機器２も同様に行うことができる。
【００５６】
図６に示すように、通信機器１が撮影モードに設定されている場合（ステップＳ１０１：Ｙｅｓ）について説明する。この場合、通信機器１は、撮像を開始し（ステップＳ１０２）、表示制御部１８６は、撮像部１１によって撮像されたライブビュー画像を表示部１３に表示させる（ステップＳ１０３）。
【００５７】
続いて、通信機器制御部１８は、ライブビュー画像内に設定情報としての通信用コード情報があるか否かを判断する（ステップＳ１０４）。具体的には、通信機器制御部１８は、携帯機器２が表示部２６でＱＲコード画像Ｑ１を表示している場合において、このＱＲコード画像Ｑ１を撮像部１１が撮像することによってライブビュー画像内にＱＲコード画像Ｑ１があるか否かを判断する。ライブビュー画像内に設定情報としての通信用コード情報があると通信機器制御部１８が判断した場合（ステップＳ１０４：Ｙｅｓ）、通信機器１は、後述するステップＳ１０５へ移行する。これに対して、ライブビュー画像内に設定情報としての通信用コード情報がないと通信機器制御部１８が判断した場合（ステップＳ１０４：Ｎｏ）、通信機器１は、後述するステップＳ１１６へ移行する。
【００５８】
ステップＳ１０５において、設定情報抽出部１８２は、設定情報としての通信用コード情報に含まれる携帯機器２と無線通信を行うための設定情報を抽出する。
【００５９】
続いて、送信制御部１８５は、設定情報抽出部１８２が抽出した設定情報と無線通信規格とに従って、携帯機器２と無線通信を開始する（ステップＳ１０６）。
【００６０】
その後、動作情報変換部１８３は、撮像部１１が連続的に撮像した画像データに対応するライブビュー画像内のＱＲコード画像Ｑ１の変化を判定する（ステップＳ１０７）。具体的には、動作情報変換部１８３は、撮像部１１が連続的に撮像した画像データに対応するライブビュー画像内のＱＲコード画像Ｑ１が設定部３０４によって指定された特定の動作に応じた変化、たとえば通信機器１が携帯機器２の表示部２６が表示するＱＲコード画像Ｑ１を撮像しながら携帯機器２に近づくことによって、表示部１３におけるＱＲコード画像Ｑ１の領域が大きくなっているか否かを判定し、この判定結果を携帯機器２からコンテンツデータを受信するための動作情報に変換する。
【００６１】
続いて、送信制御部１８５は、送受信部１６を介して動作情報変換部１８３が判定して変換した画像変化データを携帯機器２に送信する（ステップＳ１０８）。
【００６２】
その後、通信機器制御部１８は、携帯機器２からコンテンツデータを受信したか否かを判断する（ステップＳ１０９）。携帯機器２からコンテツンデータを受信した場合（ステップＳ１０９：Ｙｅｓ）、受信したコンテンツデータを記録部１５に記録する（ステップＳ１１０）。
【００６３】
続いて、送信制御部１８５は、携帯機器２との無線通信を終了し（ステップＳ１１１）、表示制御部１８６は、コンテンツデータに対応する画像を表示部１３に表示させる（ステップＳ１１２）。この際、コンテンツデータが音楽データであった場合、音声入出力部１７が音声データを再生（出力）する。
【００６４】
その後、通信機器制御部１８は、通信機器１の電源がオフ状態または通信機器１が待機状態になることにより、通信機器１の撮影動作または再生動作が終了したか否かを判断する（ステップＳ１１３）。通信機器１の撮影動作または再生動作が終了したと通信機器制御部１８が判断した場合（ステップＳ１１３：Ｙｅｓ）、通信機器１は、本処理を終了する。これに対して、通信機器１の撮影動作または再生動作が終了していないと通信機器制御部１８が判断した場合（ステップＳ１１３：Ｎｏ）、通信機器１は、ステップＳ１０１へ戻る。
【００６５】
ステップＳ１０９において、携帯機器２からコンテンツデータを受信していない場合（ステップＳ１０９：Ｎｏ）、通信機器制御部１８は、所定時間（たとえば５秒）経過したか否かを判断する（ステップＳ１１４）。所定時間経過していないと通信機器制御部１８が判断した場合（ステップＳ１１４：Ｎｏ）、通信機器１は、ステップＳ１０７へ戻る。これに対して、所定時間経過していると通信機器制御部１８が判断した場合（ステップＳ１１４：Ｙｅｓ）、通信機器１は、ステップＳ１１５へ移行する。
【００６６】
続いて、表示制御部１８６は、携帯機器２からコンテンツデータの受信をできなかったことを示す警告、または携帯機器２が通信機器１によって指定された特定の動作を行っていないことを示す警告を表示部１３に表示させる（ステップＳ１１５）。その後、通信機器１は、ステップＳ１１３へ移行する。
【００６７】
ステップＳ１１６において、入力部１２を介してレリーズ信号が入力された場合（ステップＳ１１６：Ｙｅｓ）、通信機器１は、撮影を実行する（ステップＳ１１７）。具体的には、通信機器１は、撮像部１１に撮影動作を実行させることにより、画像データを生成させ、この画像データに対して画像処理部１８１に画像処理を施させて記録部１５に記録する処理を実行する。その後、通信機器１は、ステップＳ１１３へ移行する。これに対して、入力部１２を介してレリーズ信号が入力されていない場合（ステップＳ１１６：Ｎｏ）、通信機器１は、ステップＳ１１３へ移行する。
【００６８】
つぎに、通信機器１が撮影モードに設定されておらず（ステップＳ１０１：Ｎｏ）、通信機器１が再生モードに設定されている場合（ステップＳ１１８：Ｙｅｓ）について説明する。この場合、表示制御部１８６は、記録部１５が記録する複数の画像データにそれぞれ対応する画像（サムネイル画像）を表示部１３に一覧表示させる（ステップＳ１１９）。
【００６９】
続いて、一覧表示された画像から拡大して再生する再生画像が選択された場合（ステップＳ１２０：Ｙｅｓ）、表示制御部１８６は、選択された画像を拡大して再生する（ステップＳ１２１）。これに対して、所定時間内に一覧表示された画像から拡大して再生する再生画像が選択されていない場合（ステップＳ１２０：Ｎｏ）、通信機器１は、後述するステップＳ１２８へ移行する。
【００７０】
ステップＳ１２２において、通信機器制御部１８は、記録部１５が記録するコンテンツデータを携帯機器２に送信する送信設定が行われたか否かを判断する。具体的には、入力部１２を介して記録部１５が記録するコンテンツデータを携帯機器２に送信する指示信号が入力されたか否かを判断する。記録部１５が記録するコンテンツデータを携帯機器２に送信する送信設定が行われたと通信機器制御部１８が判断した場合（ステップＳ１２２：Ｙｅｓ）、通信機器１は、後述するステップＳ１２３へ移行する。これに対して、記録部１５が記録するコンテンツデータを携帯機器２に送信する送信設定が行われていないと通信機器制御部１８が判断した場合（ステップＳ１２２：Ｎｏ）、通信機器１は、後述するステップＳ１２８へ移行する。
【００７１】
ステップＳ１２３において、表示制御部１８６は、記録部１５の設定情報記録部１５１が記録する設定情報としての通信用コード情報を表示部１３に表示させる。具体的には、表示制御部１８６は、通信用コード情報に対応するＱＲコード画像Ｑ１を表示部１３に表示させる。
【００７２】
続いて、送信制御部１８５は、所定の無線通信規格に従って、携帯機器２との無線通信を開始する（ステップＳ１２４）。
【００７３】
その後、送信制御部１８５は、携帯機器２から受信した動作情報としての画像変化データが指定した特定の動作に応じた画像変化データと一致するか否かを判断する（ステップＳ１２５）。携帯機器２から受信した動作情報としての画像変化データが指定した特定の動作に応じた画像変化データと一致すると送信制御部１８５が判断した場合（ステップＳ１２５：Ｙｅｓ）、送信制御部１８５は、送受信部１６を介して記録部１５が記録するコンテンツデータを携帯機器２に送信する（ステップＳ１２６）。この際、送信制御部１８５は、表示部１３が現時表示している画像データ（動画データも含む）のみを携帯機器２に送信してもよい。
【００７４】
続いて、送信制御部１８５は、携帯機器２との無線通信を終了する（ステップＳ１２７）。その後、通信機器制御部１８は、再生モードが終了したか否かを判断する（ステップＳ１２８）。再生モードが終了したと通信機器制御部１８が判断した場合（ステップＳ１２８：Ｙｅｓ）、通信機器１は、ステップＳ１１３へ移行する。これに対して、再生モードが終了していないと通信機器制御部１８が判断した場合（ステップＳ１２８：Ｎｏ）、通信機器１は、ステップＳ１１９へ戻る。
【００７５】
ステップＳ１２５において、携帯機器２から受信した動作情報としての画像変化データが指定した特定の動作に応じた画像変化データと一致しないと送信制御部１８５が判断した場合（ステップＳ１２５：Ｎｏ）、通信機器制御部１８は、所定時間経過したか否かを判断する（ステップＳ１２９）。所定時間経過していないと通信機器制御部１８が判断した場合（ステップＳ１２９：Ｎｏ）、通信機器１は、ステップＳ１２５へ戻る。これに対して、所定時間経過していると通信機器制御部１８が判断した場合（ステップＳ１２９：Ｙｅｓ）、通信機器１は、ステップＳ１３０へ移行する。
【００７６】
続いて、表示制御部１８６は、通信機器１が携帯機器２によって指定された特定の動作、たとえば携帯機器２に通信機器１が近づく動作を行っていないことを示す警告を表示部１３に表示させる（ステップＳ１３０）。その後、通信機器１は、ステップＳ１２８へ移行する。
【００７７】
ステップＳ１１８において、通信機器１が再生モードに設定されていない場合（ステップＳ１１８：Ｎｏ）、通信機器１は、ステップＳ１１３へ移行する。
【００７８】
以上説明した本発明の実施の形態１によれば、送信制御部１８５が送受信部１６によって受信された携帯機器２の特定の動作に応じて変換された動作情報が設定部１８４によって設定された携帯機器２からコンテンツデータを受信するための動作情報と一致する場合、コンテンツデータを携帯機器２に送信する。これにより、セキュリティーに優れるとともに、簡易な操作で他の外部機器と双方向に無線通信を行うことができる。
【００７９】
さらに、本実施の形態１によれば、多くの通信規格で利用される機器ＩＤ（識別情報）とパスワードによる通信確立に簡単に応用でき、機器のＩＤを簡単に取得しながら、ユーザ同士のその場の約束で自由自在にコンテンツデータを送信するためのパスワードを設定することができ、セキュリティーを高めることが可能となる。
【００８０】
また、本実施の形態１によれば、画像の撮像信号を利用して、撮影画角や表示画角によって指向性を高めてセキュリティーを保証できる。
【００８１】
さらにまた、本実施の形態１によれば、表示画像を変えることが出来たり、通信確立用の動作の自由度を高めて、簡単な動作のバラエティをその場で変更たりして増やし、状況に応じた動作を選択でき、極力、無線通信を確立するための動作を単純化してセキュリティーを高めることが可能である。
【００８２】
また、本実施の形態１によれば、画像の変化でコンテンツデータの送受信を行うので、指向性を強くしてセキュリティーを高めることができる。
【００８３】
なお、本実施の形態１では、無線通信を確立するための設定画像と、コンテンツデータの送信を許可するための撮影する画像とがそれぞれ異なってもよい。この場合、コンテンツデータの送信を許可するための画像を簡易な画像、たとえば図形や文字等であればよい。これにより、通信機器１は、携帯機器２から受信した動作情報を容易に判定することができる。
【００８４】
なお、本実施の形態１では、設定部１８４および設定部３０４は、動作情報およびパスワードを設定情報記録部１５１または設定情報記録部２８１にそれぞれ記録させていたが、動作情報を記録させなくてもよい。この場合、設定部１８４または設定部３０４は、ユーザが入力部１２を押圧している間、たとえば操作スイッチや操作ダイヤル等のスイッチを押圧した状態を維持しているときのみ、動作情報を設定してもよい。これにより、よりセキュリティーを高めることができる。
【００８５】
（実施の形態２）
つぎに、本発明の実施の形態２について説明する。本実施の形態２にかかる通信機器および携帯機器は、上述した実施の形態と同様の構成を有し、コンテンツデータを送受信する際の特定の動作および処理が異なる。このため、以下においては、本実施の形態２にかかる通信機器および携帯機器がコンテンツデータを送受信する際の特定の動作を説明後、本実施の形態２にかかる通信機器および携帯機器が実行する処理について説明する。なお、上述した実施の形態１と同一の構成には同一の符号を付して説明する。
【００８６】
図７は、通信機器１および携帯機器２が実行する通信処理の概要を説明する図である。図８は、図７の状況を模式的に説明する図である。なお、図７および図８では、通信機器１が記録部１５に記録された画像データを含むコンテンツデータを再生して送信する再生モードに設定され、携帯機器２が撮影モードに設定されている。
【００８７】
図７に示すように、通信機器１は、所定の無線通信規格に従って、携帯機器２と無線通信を行ってコンテンツデータを送信する場合、携帯機器２が設定部１８４によって設定された特定の動作を行ったとき、携帯機器２との間で無線通信が確定してコンテンツデータを送信する。具体的には、図７および図８に示すように、通信機器１は、携帯機器２が回転した場合、携帯機器２との間で無線通信を確定してコンテンツデータを送信する。たとえば、通信機器１は、ユーザＯ１がユーザＯ２に対して、携帯機器２を回してと伝えた場合において、ユーザＯ２が携帯機器２を回転させたとき、携帯機器２との間で無線通信を確定してコンテンツデータを送信する。これに対して、通信機器１は、ユーザＯ２が携帯機器２を回転させない動作、たとえば携帯機器２を近づける動作の場合、コンテンツデータを送信しない。
【００８８】
図９は、通信機器１と携帯機器２とが無線通信の確定を行う際の状況を模式的に説明する図である。図１０は、通信機器１と携帯機器２との間で無線通信が確定した後に通信機器１が携帯機器２にコンテンツデータを送信する際の状況を模式的に説明する図である。
【００８９】
図９に示すように、まず、通信機器１は、表示部１３に所定の無線通信規格に従って携帯機器２と無線通信を行うための設定情報に対応するＱＲコード画像Ｑ１を表示するとともに、コンテンツデータを送信する際に携帯機器２に実行させる特定の動作を指定する指定信号の入力を受け付ける動作アイコンＡ１および動作アイコンＡ２を表示部１３に表示させる（図９（ａ））。この際、携帯機器２は、通信機器１の表示部１３が表示するＱＲコード画像Ｑ１を撮像する。続いて、携帯機器２は、設定情報抽出部３０２が撮像部２１によって撮像されたＱＲコード画像Ｑ１に含まれる通信機器１の識別情報および識別情報に対応したパスワードを含む設定情報Ｗ１を抽出し、表示制御部３０６が設定情報Ｗ１を表示部２６に表示させる（図９（ｂ））。その後、携帯機器２は、通信機器１にパスワードを送信する。これにより、通信機器１と携帯機器２との間で無線通信が確立する。なお、通信機器１の入力部１２を介して携帯機器２に実行させる特定の動作を指定する指定信号の入力を受け付けてもよい。
【００９０】
続いて、図１０に示すように、通信機器１と携帯機器２との無線通信が確定した後、通信機器１がコンテンツデータを携帯機器２に送信する場合において、通信機器１によって指定された特定の動作が携帯機器２を回転させるとき、ユーザによって携帯機器２が回転しながら通信機器１の表示部１３で表示されるＱＲコード画像Ｑ１を連続的に撮像する（図１０（ａ）〜図１０（ｄ））。続いて、携帯機器２は、撮像部２１によって撮像されたＱＲコード画像Ｑ１が通信機器１によって指定された回転で変化する画像変化データを動作情報として通信機器１に送信する。その後、通信機器１の送信制御部１８５は、携帯機器２から受信した画像変化データが指定した特定の動作に応じて変換した際の画像変化データと一致する場合、コンテンツデータを携帯機器２に送信する。これに対して、通信機器１は、携帯機器２から受信した画像変化データが指定した特定の動作に応じて変換した画像変化データと一致しない場合、コンテンツデータを携帯機器２に送信しない。
【００９１】
このように、通信機器１は、ユーザによって指定された特定の動作を携帯機器２が行うだけで、コンテンツデータを送信することができる。さらに、通信機器１は、通信の確立とコンテンツデータの送付とのパスワードが異なるので、第三者によってパスワードが盗まれた場合であっても、ユーザによって指定された特定の動作を携帯機器２が行わない限り、コンテンツデータが送信されることがないので、セキュリティーに優れる。
【００９２】
つぎに、通信機器１が実行する処理の概要について説明する。図１１は、通信機器１が実行する処理の概要を示すフローチャートである。なお、図１１に示す処理は、携帯機器２であっても適用することができる。
【００９３】
ステップＳ２０１〜ステップＳ２０６は、図６のステップＳ１０１〜ステップＳ１０６にそれぞれ対応する。
【００９４】
ステップＳ２０７において、動作情報変換部１８３は、撮像部１１が連続的に撮像した画像データに対応するライブビュー画像内のＱＲコード画像Ｑ１の動きを判定する。具体的には、動作情報変換部１８３は、撮像部１１が連続的に撮像した画像データに対応するライブビュー画像内のＱＲコード画像Ｑ１が携帯機器２によって指定された特定の動作に応じた変化、たとえば通信機器１が携帯機器２の表示部２６が表示するＱＲコード画像Ｑ１を撮像しながら回転することによって、表示部２６におけるＱＲコード画像Ｑ１の位置が変化しているか否かを判定し、この判定結果を携帯機器２からコンテンツデータを受信するための動作情報に変換する。なお、動作情報変換部１８３は、ＱＲコード画像Ｑ１の変化だけでなく、地磁気検出部２４の検出結果に基づいて、通信機器１が回転しているか否かを判定してもよい。
【００９５】
続いて、送信制御部１８５は、送受信部１６を介して動作情報変換部１８３が判定した画像の動き変化データを携帯機器２に送信する（ステップＳ２０８）。
【００９６】
ステップＳ２０９〜ステップＳ２２４は、図６のステップＳ１０９〜ステップＳ１２４にそれぞれ対応する。
【００９７】
ステップＳ２２５において、送信制御部１８５は、携帯機器２から受信した設定情報としての画像の動き変化データが指定した特定の動作に応じた動き変化データと一致するか否かを判断する。携帯機器２から受信した設定情報としての画像の動き変化データが指定した特定の動作に応じた動き変化データと一致する場合（ステップＳ２２５：Ｙｅｓ）、送信制御部１８５は、送受信部１６を介して記録部１５が記録するコンテンツデータを携帯機器２に送信する（ステップＳ２２６）。
【００９８】
ステップＳ２２７〜ステップＳ２３０は、図６のステップＳ１２７〜ステップＳ１３０にそれぞれ対応する。
【００９９】
以上説明した本発明の実施の形態２によれば、送信制御部１８５が送受信部１６によって受信された携帯機器２の特定の動作に応じて変換された動作情報が設定情報記録部１５１によって記録されている動作情報と一致する場合、コンテンツデータを携帯機器２に送信する。これにより、セキュリティーに優れるとともに、簡易な操作で携帯機器２と双方向に無線通信を行うことができる。
【０１００】
さらに、本発明の実施の形態２によれば、携帯機器２が通信機器１からコンテンツデータを受信する場合、携帯機器２が行う特定の動作を指定することができるので、よりセキュリティーに優れる。
【０１０１】
（実施の形態３）
つぎに、本発明の実施の形態３について説明する。本実施の形態３は、上述した実施の形態とコンテンツデータを送受信する際の特定の動作および処理が異なる。このため、以下においては、本実施の形態３にかかる通信機器および携帯機器の構成を説明後、本実施の形態３にかかる通信機器および携帯機器が実行する処理について説明する。なお、上述した実施の形態１と同一の構成には同一の符号を付して説明する。
【０１０２】
図１２は、本実施の形態３にかかる通信機器および携帯機器の構成を示すブロック図である。図１２に示す通信機器１００は、撮像部１１と、入力部１２と、表示部１３と、タッチパネル１４と、記録部１５と、送受信部１６と、音声入出力部１７と、通信機器制御部１０１と、を備える。
【０１０３】
通信機器制御部１０１は、画像処理部１８１と、設定情報抽出部１８２と、動作情報変換部１８３と、送信制御部１８５と、表示制御部１８６と、音声判定部１０２と、を有する。
【０１０４】
音声判定部１０２は、音声入出力部１７から入力された音声データを判定する。具体的には、音声判定部１０２は、通信機器１００が携帯機器２と無線通信でコンテンツデータを送信する場合、通信機器１００が指定した特定の動作に応じた音声を発したか否かを判定する。たとえば、音声判定部１０２は、通信機器１００が指定した特定の動作が携帯機器２の撮像部２１のシャッタ音である場合、音声入出力部１７から入力された音声データがシャッタ音であるか否かを判定する。なお、音声判定部１０２は、携帯機器２に予め記録された音声データが再生された場合、通信機器１００が指定した特定の動作に応じた音声を発したと判定する。
【０１０５】
図１３は、通信機器１００および携帯機器２が実行する通信処理の概要を説明する図である。図１４は、図１３の状況を模式的に説明する図である。なお、図１３および図１４では、通信機器１００が再生モードに設定され、携帯機器２が撮影モードに設定されているものとする。
【０１０６】
図１３に示すように、通信機器１００は、所定の無線通信規格に従って、携帯機器２と無線通信を行ってコンテンツデータを送信する場合、携帯機器２が通信機器１００によって指定された特定の動作を行ったとき、携帯機器２との間で無線通信が確定する。具体的には、図１３および図１４に示すように、通信機器１００は、携帯機器２がシャッタ音を発した場合、携帯機器２との間で無線通信を確定する。たとえば、ユーザＯ２がユーザＯ１に対して、コンテンツデータを頂戴と伝え、携帯機器２で通信機器１００を撮影した場合、通信機器１００は、携帯機器２の撮像部２１のシャッタ音を特定の動作が行われたと判定することによって、コンテンツデータを携帯機器２に送信する。
【０１０７】
このように、通信機器１００は、指定した特定の動作として携帯機器２がシャッタ音を発するだけで、コンテンツデータを受信することができる。さらに、通信機器１００は、通信の確立とコンテンツデータの送付とのパスワードが異なるので、第三者によってパスワードが盗まれた場合であっても、指定した特定の動作を行わない限り、コンテンツデータを送信することがないので、セキュリティーに優れる。
【０１０８】
つぎに、通信機器１００が実行する処理の概要について説明する。図１５は、通信機器１００が実行する処理の概要を示すフローチャートである。なお、図１５に示す処理は、携帯機器２であっても適用することができる。
【０１０９】
ステップＳ３０１〜ステップＳ３０４は、図６のステップＳ１０１〜ステップＳ１０４それぞれに対応する。
【０１１０】
ステップＳ３０５において、通信機器制御部１０１は、通信機器１００が通信用コード要求撮影に設定されているか否かを判断する。通信機器１００が通信用コード要求撮影に設定されていると通信機器制御部１０１が判断した場合（ステップＳ３０５：Ｙｅｓ）、通信機器１００は、後述するステップＳ３０６へ移行する。これに対して、通信機器１００が通信用コード要求撮影に設定されていないと通信機器制御部１０１が判断した場合（ステップＳ３０５：Ｎｏ）、通信機器１００は、後述するステップＳ３１７へ移行する。
【０１１１】
ステップＳ３０６において、通信機器１００は、携帯機器２によって指定された特定の動作に応じた音声を出力する。具体的には、通信機器１００は、撮像部１１のシャッタを駆動することにより、シャッタ音を出力する。
【０１１２】
続いて、送信制御部１８５は、無線通信規格に従って携帯機器２と無線通信を開始する（ステップＳ３０７）。
【０１１３】
その後、動作情報変換部１８３は、撮像部１１が連続的に撮像した画像データに対応するライブビュー画像内のＱＲコード画像Ｑ１の動きを判定する（ステップＳ３０８）。
【０１１４】
続いて、送信制御部１８５は、送受信部１６を介して動作情報変換部１８３が判定した画像の動き変化データを携帯機器２に送信する（ステップＳ３０９）。
【０１１５】
ステップＳ３１０〜ステップＳ３１８は、図６のステップＳ１０９〜ステップＳ１１７にそれぞれ対応する。
【０１１６】
ステップＳ３１９において、音声判定部１０２は、特定の動作に応じた特定音声が入力されたか否かを判定する。具体的には、音声判定部１０２は、通信機器１００が撮影モードで撮影を行っている場合において、携帯機器２からシャッタ音が入力されたか否かを判定する。特定の動作に応じた特定音声が入力されたと音声判定部１０２が判定した場合（ステップＳ３１９：Ｙｅｓ）、通信機器１００は、後述するステップＳ３２０へ移行する。これに対して、特定の動作に応じた特定音声が入力されていないと音声判定部１０２が判定した場合（ステップＳ３１９：Ｎｏ）、通信機器１００は、ステップＳ３１４へ移行する。
【０１１７】
ステップＳ３２０において、表示制御部１８６は、記録部１５が記録する複数の画像データの中で最新の画像データに対応する最新の画像を表示部１３に表示させる。
【０１１８】
続いて、音声判定部１０２は、携帯機器２から特定音声が入力されたか否かを判定する（ステップＳ３２１）。携帯機器２から特定音声が入力されたと音声判定部１０２が判定した場合（ステップＳ３２１：Ｙｅｓ）、通信機器１００は、ステップＳ３２２へ移行する。これに対して、携帯機器２から特定音声が入力されていないと音声判定部１０２が判定した場合（ステップＳ３２１：Ｎｏ）、通信機器１００は、ステップＳ３１４へ移行する。
【０１１９】
ステップＳ３２２〜ステップＳ３２８は、図６のステップＳ１２３〜ステップＳ１３０にそれぞれ対応し、ステップＳ３２９〜ステップＳ３３３は、図６のステップＳ１１８〜ステップＳ１２２にそれぞれ対応する。
【０１２０】
ステップＳ３３４において、音声判定部１０２は、携帯機器２から特定音声が入力されたか否かを判定する。携帯機器２から特定音声が入力されたと音声判定部１０２が判定した場合（ステップＳ３３４：Ｙｅｓ）、通信機器１００は、ステップＳ３３５へ移行する。これに対して、携帯機器２から特定音声が入力されていないと音声判定部１０２が判定した場合（ステップＳ３３４：Ｎｏ）、通信機器１００は、ステップＳ３４０へ移行する。
【０１２１】
ステップＳ３３５〜ステップＳ３４２は、図６のステップＳ１２３〜ステップＳ１３０にそれぞれ対応する。
【０１２２】
以上説明した本発明の実施の形態３によれば、音声判定部１０２が携帯機器２から通信機器１００によって指定された特定の動作に対応した音声が入力されたと判定した場合、コンテンツデータを携帯機器２に送信する。これにより、セキュリティーに優れるとともに、簡易な操作で携帯機器２と双方向に無線通信を行うことができる。
【０１２３】
また、本実施の形態３によれば、携帯機器２が通信機器１００からコンテンツデータを受信する場合、携帯機器２が行う特定の動作を指定することができるので、よりセキュリティーに優れる。
【０１２４】
さらに、本実施の形態３によれば、通信機器１００が撮影モードに設定されている場合において、携帯機器２が特定の動作に対応した音声を発した場合、通信機器１００と携帯機器２との無線通信が確定する。この結果、簡易な操作で無線通信を行うことができる。
【０１２５】
なお、本実施の形態３では、シャッタ音によって無線通信を確定していたが、たとえば携帯機器２が所定の視野領域に向けて出射した光を通信機器１００が受光した場合、無線通信を確定してもよい。さらに、通信機器１００が撮影モードに設定されている場合において、携帯機器２が出射した光を通信機器１００が受光した場合、最新の画像データを携帯機器２に送信してもよい。
【０１２６】
また、本実施の形態３では、シャッタ音によって無線通信を確定していたが、ネットワークを介して無線通信を確定するための特定の音声を取得し、この取得した音声を用いて無線通信を確定してもよい。
【０１２７】
（その他の実施の形態）
なお、本発明においては、送受信部を介してコンテンツデータおよび設定情報を双方向に送受信していたが、通信機器および携帯機器それぞれにインターネットと接続可能な通信部を設け、ネットワークを介してコンテンツデータおよび設定情報を双方向に送受信を行ってもよい。さらに、ネットワーク上のサーバを介してコンテンツデータおよび設定情報を双方向に送受信を行ってもよい。
【０１２８】
また、本発明においては、特定の動作として近づく動作（これは簡単な動作で判定でき、データを授受する直感性からも分かりやすい）、回転する動作（これは、さらにセキュリティーを厳しくでき、近づけないような状況でも対応できる）、音を発生する動作（これは、単純でありながら、さらに多様な設定を可能とする）および光を照射する動作（指向性ゆえにセキュリティー性が高い）を例に説明したが、これに限定されることなく、たとえば、音声で指定した動作を音声解析で判定した結果に従って動作に関連付けられるパスワード設定がなされ、対応動作があった場合にパスワードが一致するような応用も可能である。これは、指定がシンプルで、近づけながら回すなど様々な動作を指定できる。さらに、その他の動作でもよく、通信機器と携帯機器とを接触させる動作（ぶつける動作）（接触時に通信が確立してデータが授受されるイメージゆえに直感的）投げる動作（データが飛んでいく動作で直感的）、振る動作（データがふるい落とされるイメージゆえに直感的）、円を描く動作（これもデータがふるいにかけられて落ちていくイメージで直感的、かつ、動作が複雑でセキュリティーが高い）、一定のスピードで移動させる動作（近づける方向でなくともよく、自由度が高まる）および一定の距離を離れる動作（これも自由度が高まる）であっても適用することができる。
【０１２９】
また、本発明においては、撮像部が１つの筐体に設けられたデジタルカメラを例に説明したが、レンズ部が着脱自在なレンズ装置と本体部とで構成されたデジタル一眼レフカメラであっても適用することができる。
【０１３０】
また、本発明に係る通信機器は、デジタルカメラ以外にも、例えばアクセサリ等を装着可能なデジタルカメラ、デジタルビデオカメラおよび撮影機能を有する携帯電話やタブレット型携帯機器等の電子機器にも適用することができる。
【０１３１】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１３２】
このように、本発明は、ここでは記載していない様々な実施の形態を含みうるものであり、特許請求の範囲によって特定される技術的思想の範囲内で種々の設計変更等を行うことが可能である。
【０１３３】
（付記１）
撮像して得られた画像から読み取った機器ＩＤを表わす表示画像の時間変化に従った画像変化情報を送信する送信部を備えた通信機器において、
前記画像変化情報によって通信が確立した相手機器にコンテンツデータを前記送信部に送信させる送信制御部を備えたことを特徴とする通信機器。
【０１３４】
（付記２）
コンテンツデータを送受信する送受信部を備えた通信機器において、
外部から撮影画像の変化に関する情報を受信して、該撮影画像が指定した変化と略一致する場合、前記相手機器との無線通信を確立するパスワードが一致したとして前記コンテンツデータの前記相手機器への送信を前記送受信部に実行させる送信制御部を備えたことを特徴とする通信機器。
【符号の説明】
【０１３５】
１，１００  通信機器
２  携帯機器
１１，２１  撮像部
１２，２５  入力部
１３，２６  表示部
１４，２７  タッチパネル
１５，２８  記録部
１６，２２  送受信部
１７，２３  音声入出力部
１８，１０１  通信機器制御部
２４  地磁気検出部
２９  通信部
３０  携帯制御部
１０２  音声判定部
１５１，２８１  設定情報記録部
１５２  コンテンツ情報記録部
１８１，３０１  画像処理部
１８２，３０２  設定情報抽出部
１８３，３０３  動作情報変換部
１８４，３０４  設定部
１８５，３０５  送信制御部
１８６，３０６  表示制御部
【図１】
0006029292.tif 000002
【図２】
0006029292.tif 000003
【図３】
0006029292.tif 000004
【図４】
0006029292.tif 000005
【図５】
0006029292.tif 000006
【図６】
0006029292.tif 000007
【図７】
0006029292.tif 000008
【図８】
0006029292.tif 000009
【図９】
0006029292.tif 000010
【図１０】
0006029292.tif 000011
【図１１】
0006029292.tif 000012
【図１２】
0006029292.tif 000013
【図１３】
0006029292.tif 000014
【図１４】
0006029292.tif 000015
【図１５】
0006029292.tif 000016